(57)【要約】【課題】  簡易な構成で配線基板を正確に位置合わせすることができる表示装置を提供する。【解決手段】  本発明の一態様にかかる表示装置は、液晶表示パネル１０と、液晶表示パネル１０上に並設された複数の接続パッド３１と、複数の接続パッド３１の外側に設けられた位置決めパターン３２と、複数の接続パッド３１と各々接続される複数の端子２６を有し、位置決めパターン３２により位置決めされて表示パネルに取り付けられるＦＰＣ２０とを備え、位置決めパターン３２が接続パッド３１の幅以上の幅を有し、ＦＰＣが位置決めパターン３２に対応する位置に設けられた基板位置決め部４２を有しているものである。【選択図】  図３
2006235503.tif 000002
【特許請求の範囲】
【請求項１】
表示パネルと、
前記表示パネル上に並設された複数の接続パッドと、
前記並設された複数の接続パッドの並列方向の一方の外側に設けられた位置決めパターンと、
前記複数の接続パッドと各々接続される複数の端子を有する配線基板とを備え、
前記位置決めパターンが前記接続パッドの幅以上の幅を有し、
前記配線基板が前記位置決めパターンに対応する位置に設けられた基板位置決め部を有している表示装置。
【請求項２】
前記基板位置決め部は前記位置決めパターンを囲むように形成されている請求項１に記載の表示装置。
【請求項３】
前記表示パネル上に設けられた駆動回路をさらに備え、
前記接続パッドは前記駆動回路に入力される電源配線用の接続パッドと信号配線用の接続パッドとを有し、
前記位置決めパターン側に設けられた接続パッドが前記信号配線用の接続パッドであることを特徴とする請求項１又は２に記載の表示装置。
【請求項４】
前記並列方向の他方の最外位置に形成された最外接続パッドが、外側に延在した延在パターンを有し、
前記最外接続パッドに対応する端子が前記延在パターンを挟むように外側に延設されたパターン挟持部を有している請求項１、２又は３に記載の表示装置。
【請求項５】
前記位置決めパターンが透明導電膜により形成されている請求項１乃至４のいずれかに記載の表示装置。
【発明の詳細な説明】
【技術分野】
【０００１】
本発明は表示装置に関し、特に詳しくは表示パネルに配線基板が取り付けられた表示装置に関する。
【背景技術】
【０００２】
パーソナルコンピュータ、その他各種モニタ用の画像表示装置として、あるいは、携帯電話の表示画面やカーナビゲーションシステムの表示画面など、液晶表示装置の普及は目覚しいものがある。この液晶表示装置は、外部の制御基板から信号や電源等を入力するためのフレキシブル基板を備えている。このフレキシブル基板が異方性導電接着剤（Anisotropic Conductive Film、以下ＡＣＦ）を用いて液晶表示パネルに取り付けてられる。これにより、液晶表示パネルに設けられた接続パッドと、フレキシブル基板の端子とが電気的に接続される。
【０００３】
したがって、液晶表示装置ではフレキシブル基板と液晶表示パネルとを貼り合わせる時の位置合わせが重要となる。この位置合わせを行なう方法が開示されている（特許文献１）。この液晶表示装置では、液晶表示パネルと配線基板との両方に位置合わせ用孔を設けて、位置決めピンに係合することにより、位置合わせしている。
【０００４】
【特許文献１】特開２００１−３１１９５９号公報
【発明の開示】
【発明が解決しようとする課題】
【０００５】
近年、液晶表示パネルの接続パッドの狭ピッチ化により、フレキシブル基板の貼り合わせにはより高い位置精度が要求される。そのため、上記の貼り合わせ方法では、正確な位置で貼り合わせることができない場合があった。すなわち、従来の液晶表示装置では、フレキシブル基板が液晶表示パネルに対してずれた状態で取り付けられ、フレキシブル基板を液晶表示パネルの所定の位置に取り付けることができない場合があった。この場合、端子と接続パッドの位置がずれてしまい、液晶表示パネルに正常な信号を入力することができないという問題点が発生してしまう。特に、従来の液晶表示装置では、フレキシブル基板が回転方向にずれてしまい、液晶表示パネルに対してフレキシブル基板が傾いて取り付けられてしまうことが多かった。
【０００６】
このように従来の液晶表示装置では、フレキシブル基板と液晶表示パネルとの位置合わせが困難であるという問題点があった。
本発明はこのような問題点に鑑みてなされたものであり、配線基板と表示パネルとを正確に位置合わせすることができる表示装置を提供することを目的とする。
【課題を解決するための手段】
【０００７】
本発明の第１の態様にかかる表示装置は、表示パネルと、前記表示パネル上に並設された複数の接続パッドと、前記並設された複数の接続パッドの並列方向の一方の外側に設けられた位置決めパターンと、前記複数の接続パッドと各々接続される複数の端子を有する配線基板とを備え、前記位置決めパターンが前記接続パッドの幅以上の幅を有し、前記配線基板が前記位置決めパターンに対応する位置に設けられた基板位置決め部を有しているものである。これにより、正確に位置合わせを行なうことができる。
【０００８】
本発明の第２の態様にかかる表示装置は、上述の表示装置において、前記基板位置決め部は前記位置決めパターンを囲むように形成されているものである。これにより、より正確に位置合わせを行なうことができる。
【０００９】
本発明の第３の態様にかかる表示装置は、上述の表示装置において、前記表示パネル上に設けられた駆動回路をさらに備え、前記接続パッドは前記駆動回路に入力される電源配線用の接続パッドと信号配線用の接続パッドとを有し、前記位置決めパターン側に設けられた接続パッドが前記信号配線用の接続パッドであることを特徴とするものである。これにより、配線基板の幅を狭くすることができる。
【００１０】
本発明の第４の態様にかかる表示装置は、上述の表示装置において、前記並列方向の他方の最外位置に形成された最外接続パッドが、外側に延在した延在パターンを有し、前記最外接続パッドに対応する端子が前記延在パターンを挟むように外側に延設されたパターン挟持部を有しているものである。これにより、より正確に位置合わせを行なうことができる。
【００１１】
本発明の第５の態様にかかる表示装置は、上述の表示装置において、前記位置決めパターンが透明導電膜により形成されているものである。これにより、より正確に位置合わせを行なうことができる。
【発明の効果】
【００１２】
本発明によれば、配線基板を正確に位置合わせすることができる表示装置を提供することができる。
【発明を実施するための最良の形態】
【００１３】
以下に、本発明を適用可能な実施の形態が説明される。以下の説明は、本発明の実施形態を説明するものであり、本発明は以下の実施形態に限定されるものではない。
【００１４】
本発明にかかる液晶表示装置に用いられる液晶表示パネルの構成について図１を用いて説明する。図１（ａ）は液晶表示パネルの構成を示す正面図である。図１（ｂ）は図１（ａ）に示す液晶表示パネルの断面図である。
【００１５】
図において、１０は液晶表示パネル、１１は対向基板、１２はアレイ基板、２０はフレキシブル基板（以下、ＦＰＣ）、２４は異方性導電膜（Anisotropic Conductive Film、以下ＡＣＦ）、３０は駆動回路である。
【００１６】
まず、液晶表示パネル１０の全体的な構成について説明する。なお、以下の説明は一般的な液晶表示パネル１０の構成を示すものであり、本発明は以下の構成の液晶表示パネルに限定されるものではない。液晶表示パネル１０は、アレイ回路が形成されたアレイ基板１２とそのアレイ基板１２に対向配置された対向基板１１とを備えている。アレイ基板１２と対向基板１１との間には液晶層（図示せず）が挟持される。液晶表示パネル１０はTN（Twisted Nematic）やSTN（Super Twisted Nematic）などのモードを用いることができる。液晶層はアレイ基板１２及び対向基板１１に設けられた配向膜によって所定の方向に配向する。この一対の基板にはガラス基板等の矩形状の透明な絶縁性基板を用いることができる。アクティブマトリックス・タイプの液晶表示パネル１０は、各画素が表示信号の入出力を制御するスイッチング素子を備えている。典型的なスイッチング素子は、ＴＦＴ（Thin Film Transistor）である。アレイ基板１２の背面側には面状光源装置であるバックライトユニット（図示せず）が設けられる。すなわち、図１（ｂ）に示す構成で、液晶表示パネル１０の右側、すなわち対向基板１１側が表示側となる。ここで、液晶表示パネル１０の対向基板１１側を前面側とし、アレイ基板１２側を背面側とする。
【００１７】
対向基板１１にはカラーフィルタ及びＢＭ（ブラックマトリクス）が設けられている。対向基板１１にはさらに、対向電極が設けられている。液晶表示パネル１０の表示領域内の各画素は、例えば、Ｒ、Ｇ、Ｂいずれかの色を表示する。そして、液晶表示パネル１０はバックライトからの透過光を制御することにより、画像表示を行う。アレイ基板１２上の表示領域内には、複数のソース線及び複数のゲート線がマトリクス状に配設されている。ソース線とゲート線とはお互いにほぼ直角に重なるように配設され、交差点近傍にＴＦＴが配置される。
【００１８】
アレイ基板１２は対向基板１１よりも大きめに設けられている。したがって、アレイ基板１２の一部は対向基板１１からはみ出すよう配置される。このアレイ基板１２がはみ出した領域に駆動回路３０が配設される。駆動回路３０はゲートドライバとソースドライバとを兼用するドライバＩＣである。この液晶表示パネルはＣＯＧタイプの液晶表示パネルであり、駆動回路３０がＡＣＦ２４を介してアレイ基板１２上に接続されている。駆動回路３０は外部の制御基板から入力された制御信号及び表示信号からゲート信号及びソース信号を生成する。アレイ基板１２の駆動回路３０側の端部には駆動回路３０に接続される接続パッドが設けられている。
【００１９】
駆動回路３０からゲート配線にゲート信号が入力され、選択されたゲート配線に対応するＴＦＴがオンする。駆動回路３０からソース線に入力された表示電圧が、オン状態のＴＦＴを介して画素電極に送られ、画素電極と対向電極とが液晶に電界を印加する。この表示電圧を変えることにより液晶への印加電圧を変化させることができ、液晶の光の透過率を制御する。
【００２０】
バックライトユニットは蛍光管やＬＥＤなどの光源と光源からの光を面状に導く導光板とを備えている。光源は通常、導光板の側面に設けられる。導光板は例えば、アクリル樹脂等により形成され、側面から入射した光を前面から均一に出射する。また、導光板の背面及び側面には導光板から出射した光を再度、導光板の中に入射させるリフレクタが設けられる。また、光源はこのリフレクタの中に内包され、光源から出射した光を効率よく、導光板に入射させる。
【００２１】
駆動回路３０の近傍において、アレイ基板１２の端部にＦＰＣ２０が取り付けられている。ＦＰＣ２０のアレイ基板１２側の面には駆動回路３０に信号を供給するための配線が設けられている。ＦＰＣ２０のアレイ基板１２側の面を背面とし、反対側の面を前面とする。ＦＰＣ２０の背面には配線が設けられている。このＦＰＣ２０の配線の一部は露出するように形成されている。この配線の露出部分がアレイ基板１２の接続パッドと電気的に接続するための端子となる。すなわち、アレイ基板１２に設けられた接続パッドとＦＰＣ２０に設けられた端子とがＡＣＦ２４を介して接続される。これにより、ＦＰＣ２０に設けられた配線と駆動回路３０とが電気的に接続される。外部の制御基板から制御信号と表示信号並びに駆動回路３０を駆動するための電源電圧が入力される。駆動回路３０はこの制御信号及び表示信号に基づいてゲート信号及びソース信号を出力する
【００２２】
次に図２を用いてＦＰＣ２０とアレイ基板１２とを接続するための構成について説明する。図２（ａ）にはアレイ基板１２のＦＰＣ２０が取り付けられている箇所の構成を拡大して示す正面図である。図２（ｂ）は図２（ａ）の一部の構成を示す断面図である。アレイ基板１２の側端部近傍には駆動回路３０が設けられている。アレイ基板１２上には、さらに駆動回路３０と接続された配線３４が複数設けられている。複数の配線３４は駆動回路３０からアレイ基板１２の端縁近傍まで形成されている。複数の配線３４は例えば、ＩＴＯ等の透明導電膜から形成される。図２（ｂ）に示すよう、この配線３４の露出した端部がＦＰＣ２０と接続される接続パッド３１となる。なお、配線３４の接続パッド３１以外の部分の上に絶縁膜を形成してもよい。図２（ａ）に示すよう、Ｘ方向における配線３４の外側、すなわち、配線３４の接続パッド３１が並設されている並列方向の一方の外側には、矩形状の位置決めパターン３２が形成されている。位置決めパターン３２も配線３４と同じ透明導電膜により形成される。ＦＰＣ２０の＋Ｘ方向の側端部には位置決めパターン３２に対応する位置に設けられた基板位置決め部４２が形成されている。すなわち、基板位置決め部４２に対応する位置に位置決めパターン３２が位置決めされている状態で、ＦＰＣ２０がアレイ基板１２に貼り合わせられる。基板位置決め部４２は位置決めパターン３２と略同じあるいは若干大きい開口部を有している。
【００２３】
図２（ｂ）に示すように、ＦＰＣ２０はベースフィルム５１とベースフィルム５１の背面側に設けられた導体５２とを備えている。導体５２は駆動回路３０に入力する信号を伝送する信号配線と駆動回路３０の電源配線とが形成されるようパターニングされている。さらに、導体５２の背面側には、導体５２を覆うカバーフィルム５３が設けられている。図２（ｂ）に示すように、カバーフィルム５３は導体５２の端部が露出するように設けられている。この導体５２の露出した部分が端子２６となり、ＡＣＦ２４を介して接続パッド３１と接続される。すなわち、接続パッド３１と端子２６との間に配置されたＡＣＦ２４を圧着することにより端子２６と接続パッド３１とが導通する。図２（ｂ）に示す端子２６と反対側のＦＰＣ２０の端部が外部の制御基板と接続される。導体５２は銅等の金属膜により形成される。
【００２４】
次に、アレイ基板１２に設けられた接続パッド３１の構成及びＦＰＣ２０に設けられた端子２６の構成について図３を用いて説明する。図３（ａ）はアレイ基板１２上に設けられた接続パッド３１の構成を示す図であり、図３（ｂ）はＦＰＣ２０に設けられた端子２６の構成を示す図である。
【００２５】
図３（ａ）に示すようアレイ基板１２の端部には複数の接続パッド３１が並設されている。すなわち、複数の接続パッド３１はＸ方向に沿って一列に配置されている。複数の接続パッド３１は所定のピッチ及び所定の幅で形成されている。複数の接続パッド３１の一方の外側には矩形状の位置決めパターン３２が形成されている。すなわち、＋Ｘ方向の端に設けられた接続パッド３１の外側に位置決めパターン３２が形成されている。位置決めパターン３２は接続パッド３１の幅よりも幅広に形成されている。すなわち、接続パッド３１のＸ方向の幅よりも位置決めパターン３２のＸ方向の幅の方が広くなるよう形成されている。特に２倍以上とすることが好ましい。位置決めパターン３２が設けられた側と反対側の最外郭の接続パッド３１には延在パターン３３が設けられている。すなわち、−Ｘ方向の端に設けられた接続パッド３１には延在パターン３３が延在されている。この延在パターン３３は接続パッド３１の外側に形成されている。このように、複数の接続パッド３１のうち、−Ｘ方向の最外郭の接続パッド３１は外側に突出しており、その他の接続パッド３１と異なる形状をしている。
【００２６】
図３（ｂ）に示すようＦＰＣ２０の端部には複数の端子２６が並設されている。いる。すなわち、複数の端子２６はＸ方向に沿って一列に配置されている。複数の端子２６のそれぞれは、複数の接続パッド３１のそれぞれと対応する位置に設けられている。接続パッド３１と端子２６とは同じ幅かつ同じ間隔になっている。すなわち、所定の位置でＦＰＣ２０をアレイ基板１２と重ね合わせると、各々の端子２６と各々の接続パッド３１とがそれぞれ接続される。さらに、ＦＰＣ２０において、複数の端子２６の外側には、矩形状の基板位置決め部４２が形成されている。この基板位置決め部４２はアレイ基板１２の位置決めパターン３２に対応する位置に形成されている。そして、基板位置決め部４２には、基板位置パターン３２を囲むように開口パターン４５が形成されている。すなわち、基板位置決め部４２は、右端の端子２６と接続しており、開口パターン４５はロの字型に形成されている。さらに、基板位置決め部４２と反対側の最外郭に設けられた端子２６にはパターン挟持部が形成されている。パターン挟持部は端子２６の外側に形成されている２つの挟持パターン４３から構成されている。２つの挟持パターン４３はＹ方向に所定の間隔を空けて設けられている。このように複数の端子２６のうち、両外側の２つの端子２６からはそれぞれ挟持パターン４３又は開口パターン４５が延設されており、中央の端子２６と異なる形状をしている。パターン挟持部４３は開口パターン４５が設けられた端子２６と反対側の端に設けられている。
【００２７】
図３に示されたアレイ基板１２とＦＰＣ２０を位置合わせした状態の接続パッド３１と端子２６との構成について図４を用いて説明する。図４において、４４は端子２６と接続パッド３１が重なり合った接続部である。端子２６と接続パッド３１とが接続された接続部４４が、端子２６又は接続パッド３１の数に対応して複数設けられている。この接続部４４はＸ方向に並設されている。接続部４４の外側には、位置決めパターン３２とその位置決めパターン３２に対応する位置に設けられた基板位置決め部４２が配置される。基板位置決め部４２には開口パターン４５が設けられている。すなわち、開口パターン４５の開口部に位置決めパターン３２が配置される。
【００２８】
位置決めパターン３２と反対側の最外郭に設けられた接続部４４の外側には、接続パッド３１の延在パターン３３と端子２６の２つの挟持パターン４３とが配設される。Ｙ方向において、２つの挟持パターン４３の間に延在パターン３３が配設される。Ｘ方向において、延在パターン３３と２つの挟持パターン４３とは略同じ幅で形成されている。すなわち、２つの挟持パターン４３の間に、延在パターン３３が挟まれて配置されるよう位置決めされる。
【００２９】
上記の位置決めパターン３２による位置決めは、例えば、位置決めパターン３２の近傍を拡大して観察しながら、行なわれる。具体的には、図１に示した液晶表示パネル１０の背面側すなわち、アレイ基板１２側にＣＣＤカメラ及び照明光源などを設置する。そして、位置合わせを行うため照明光源で位置決めパターン３２の近傍を照明する。ＣＣＤカメラで撮像した位置決めパターン３２の近傍の画像をモニタなどに表示させる。このモニタを見ながらアライメントを行ない、ＦＰＣ２０とアレイ基板１２とを位置合わせした状態で貼り合わせる。ここで、位置決めパターン３２はＩＴＯ等の透明導電膜により形成されている。さらにアレイ基板１２は透明なガラス基板である。したがって、液晶表示パネルのアレイ基板１２側、すなわち、ＦＰＣ２０の反対側からＦＰＣ２０を光学的に観察することができる。
【００３０】
一般にＩＴＯ等の透明導電膜は完全に透明ではなく、若干白色などの色を帯びた透明となっている。したがって、アレイ基板１２側からＣＣＤカメラで位置決めパターン３２の近傍を観察することにより、位置決めパターン３２の位置を視認することができる。また、ＦＰＣ２０に設けられた導体５２は金属膜により形成されているため、ＣＣＤカメラで観察することにより、その位置を視認することができる。位置決めパターン３２とＦＰＣ２０の導体５２が重なっているとき、透明導電膜により形成された位置決めパターン３２の位置が見づらくなってしまう。すなわち、金属膜である導体５２で反射された反射光の輝度が高くなり、位置決めパターン３２の位置を視認するのが困難になってしまう。本発明では、位置決めパターン３２に対応する位置に開口パターン４５を有する基板位置決め部４２を設けている。そのため、位置合わせすると、開口パターン４５の中に位置決めパターン３２が配置される。開口パターン４５の中に位置決めパターン３２がない透明な領域がなくなるようにＦＰＣ２０を配置すれば、容易に位置合わせを行なうことができる。すなわち、基板位置決め部４２の略全体が位置決めパターン３２と重複するようにする。このときの、ＣＣＤカメラの画像は位置決めパターン３２が基板位置決め部４２の中に含まれるものとなる。そのため、開口パターン４５の開口部全体が白色を帯びたものとなる。これにより、位置決めされているか否かが容易に視認することができ、正確に位置合わせを行なうことができる。このように、上述に示した構成により、容易に位置決めパターン３２を基板位置決め部４２の中に位置決めすることができる。
【００３１】
さらに、Ｘ方向において、位置決めパターン３２が接続パッド３１よりも幅広に形成されている。これにより、正確に位置決めすることができる。特にＦＰＣ２０がアレイ基板１２に対して回転してθ方向の位置ずれが発生したときでも、位置決めパターン３２がＸ方向に長く設けられているため、θ方向の位置ずれを防ぐことができる。すなわち、Ｘ方向に幅広の位置決めパターン３２を形成することにより、ＦＰＣ２０がアレイ基板１２に対して回転して配置された場合、開口パターン４５と位置決めパターン３２との位置ずれ量が大きくなる。これにより、開口パターン４５の開口部の中に位置決めパターン３２が含まれていない構成となるので、開口部の一部が透明導電膜によって白色を帯びた箇所ではなくなる。よって、正確に位置合わせできてないことを容易に認識することができる。よって、接続パッド３１と端子２６とが斜めに接続されるのを防ぐことができ、誤った端子２６と接続パッド３１が導通するのを確実に防ぐことができる。
【００３２】
さらに、位置決めパターン３２の近傍のみではなく、挟持パターン４３の近傍をＣＣＤカメラで観察しながら、位置決めを行ってもよい。この場合、上記と同様の方法により、挟持パターン４３近傍を拡大して観察することができる。そして、挟持パターン４３の間に、延在パターン３３が配置されるよう位置決めを行なう。このとき、端子２６の挟持パターン４３は金属膜からなる導体５２で構成され、接続パッド３１の延在パターン３３は接続パッド３１と同じ透明導電膜により構成される。したがって、容易に接続パッド３１の延在パターン３３を、端子２６の挟持パターン４３の間に位置決めすることができる。すなわち、金属からなる挟持パターン４３の間にやや白色の延在パターン３３を配置し、透明な領域がなくなるよう、位置決めを行なう。これにより、位置決めパターン３２の近傍を観察した場合と同様に、確実に位置決めを行うことができる。このように、２箇所を観察しながらアライメントを行なうことにより、より正確に位置合わせを行なうことができる。特にＦＰＣ２０の回転ずれを抑制することができる。
【００３３】
このようにして位置決めを行ない、ＦＰＣ２０をアレイ基板１２上に設けられたＡＣＦ２４に付ける。そして、ＡＣＦ２４を圧着して、アレイ基板１２上にＦＰＣ２０を貼り付ける。これにより、正確に位置合わせされた状態でアレイ基板１２とＦＰＣ２０とを貼り合わせることができる。よって、誤った端子２６と接続パッド３１が接続されるのを防ぐことができる。
【００３４】
上述の構成の具体的な寸法の一例について以下に説明する。端子２６及び接続パッド３１はそれぞれ０．４ｍｍのピッチで形成される。そして、端子２６及び接続パッド３１の幅は０．１〜０．２ｍｍの幅で形成される。したがって、隣接する端子２６の間隔及び隣接する接続パッド３１の間隔は０．２〜０．３ｍｍとなる。端子２６及び接続パッド３１の幅よりも位置決めパターン３２を長くしている。位置決めパターン３２の幅を接続パッド３２の幅の２倍以上にすることが好ましい。すなわち、ここでは位置決めパターン３２の幅を０．４ｍｍ以上とすることが好ましい。これにより、より正確に位置決めを行なうことができる。さらに、基板位置決め部４２のうち位置決めパターン３２の外側に設けられた部分の幅は０．２ｍｍとすることが好ましい。もちろん、位置決めパターン３２や端子２６の構成は上記の寸法に限られるものではない。また、位置決めパターン３２と基板位置決め部４２は矩形に限らず、三角形、正方形又は円形等であってもよい。
【００３５】
アレイ基板上に設けられた駆動回路３０までの配線３４は、駆動電源を供給する複数の電源配線と、表示信号又は制御信号を供給するための複数の信号配線とを有している。この信号配線と電源配線とがそれぞれ、区分されて配設されることがある。すなわち、図２（ａ）に示す構成で、駆動回路３０に接続される複数の配線３４のうち、配線３４の並設方向の一端から複数の信号配線が配設され、他端から複数の電源配線が配設されることがある。例えば、図２（ａ）に示す複数の配線３４のうち右端から信号配線が配設され、左端から電源配線が配設されているものとする。すなわち、複数の配線３４のうち、右端の配線３４から中央部分の所定の配線３４が信号配線となり、その所定の信号配線の左隣の配線から左端の配線３４が電源配線となる。通常、電源配線は信号配線よりも流れる電流が高いため、低抵抗にする必要がある。よって、駆動回路３０の電源系統の配線３４は、信号系統の配線３４よりも幅を広くする必要がある。
【００３６】
このように、アレイ基板１２上に設けられた配線３４あるいはＦＰＣ２０に設けられている配線のうち、電源配線と信号配線とを区分けし、かつ異なる幅で形成することがある。このとき、信号配線が設けられている側では配線幅を狭くすることができ、電源配線が設けられている側では配線幅を広くする必要がある。すなわち、上記の構成では、アレイ基板１２の右側（＋Ｘ側）に配置された信号配線は、アレイ基板１２の左側（−Ｘ側）に設けられた電源配線よりも幅が狭くなる。
【００３７】
ところで、設計上の制約や収納スペースの制約によって、ＦＰＣ２０のＸ方向の幅が制限されることがある。すなわち、アレイ基板１２の上にＦＰＣ２０を設けるスペースが制限されることがある。換言すると、設計上の制約などにより、アレイ基板１２の上に、ＦＰＣ２０が設けられていないスペースをある程度以上設ける必要があり、ＦＰＣ２０の幅が制限されてしまう。よって、ＦＰＣ２０がＸ方向に駆動回路３０からはみ出す幅が制限される。この場合、位置決めパターン３２は信号配線側に形成することが好ましい。すなわち、信号配線は配線電源に比べて配線幅を狭くすることができる。したがって、ＦＰＣ２０の幅が制限されている場合であっても、最も外側の接続パッド３１とＦＰＣ２０の端部との間の位置決めパターン３２を形成するスペースを広く取ることができる。すなわち、ＦＰＣ２０の端部において、端子２６が設けられていないスペースを広くすることができる。これにより、位置決めパターン３２と基板位置決め部４２とをより幅広く形成することができ、θ方向のずれをさらに抑制することができる。このように、ＦＰＣ２０を左右非対称のパターン形状とすることにより、ＦＰＣ２０の幅が制限されている場合でも、位置合わせを正確に行なうことができる。すなわち、片側のみに基板位置決め部４２及び開口パターン４５を設けた場合であっても、位置決めパターン３２のＸ方向の幅を接続パッド３１の幅よりも広く形成することにより、正確に位置合わせすることができる。
【００３８】
なお、上述の説明では液晶表示パネル１０にＦＰＣ２０を取り付ける構成について説明したが、本発明はこれに限られるものではない。例えば、液晶表示パネル１０ではなく、有機ＥＬ表示パネルや無機ＥＬ表示パネルなどの他の表示パネルを用いることができる。さらには、アクティブマトリクス型に限らずパッシブマトリクス型などの他のタイプの表示装置であってもよい。さらに、ＣＯＧタイプの表示装置に限られるものではなく、例えば、ＴＣＰなどの配線基板を表示パネルに貼り付けるときに用いることができる。
【図面の簡単な説明】
【００３９】
【図１】本発明にかかる液晶表示装置に用いられる液晶表示パネルの構成を示す図である。
【図２】本発明にかかる液晶表示装置に用いられる液晶表示パネルの端部近傍の構成を示す図である。
【図３】本発明にかかる液晶表示装置に用いられるフレキシブル基板とアレイ基板の構成を示す図である。
【図４】本発明にかかる液晶表示装置に用いられるフレキシブル基板とアレイ基板とが位置合わせされた状態を示す図である。
【符号の説明】
【００４０】
１０  液晶表示パネル
１１  アレイ基板
１２  対向基板
２０  ＦＰＣ
２６  端子
３０  駆動回路
３１  接続パッド
３２  位置決めパターン
３３  延在パターン
３４  配線
４２  基板位置決め部
４３  挟持パターン
４５  開口パターン
５１  ベースフィルム
５２  導体
５３  カバーフィルム
【図１】
2006235503.tif 000003
【図２】
2006235503.tif 000004
【図３】
2006235503.tif 000005
【図４】
2006235503.tif 000006